(57)【要約】携帯性に優れ、しかも広い床上の水切り清掃作業を少人数で行うことができる水切り清掃具を提供する。  水切り清掃具１は、帯状体２と、帯状体２の巻き取り又は引き出しを行うためのリール体３とでなる。帯状体２は、その先端部２ａに握手４を有し、その両縁部２ｂ，２ｂには、床等への密着性が高いゴムである可撓性部材２０，２０が取り付けられている。これにより、床上の水溜まりをリール体３から引き出した帯状体２で囲んだ状態で、２人の作業者の一方が帯状体２の握手４を持ち、他方がリール体３を持って、帯状体２を引っ張ることで、水溜まりの水を帯状体２で掃くことができる。【特許請求の範囲】
【請求項１】
先端部に握手を有する等幅の帯状体と、
上記帯状体の後端部が取り付けられた回転体を有し、この回転体を回転させることで、上記帯状体をこの回転体に巻き取り又は引き出しを行うリール体と
を具備することを特徴とする水切り清掃具。
【請求項２】
請求項１に記載の水切り清掃具において、
上記帯状体の少なくとも一方の縁部に、床などへの密着性が高い可撓性部材を帯状体の長さ方向に沿って設けた、
ことを特徴とする水切り清掃具。
【請求項３】
請求項１に記載の水切り清掃具において、
上記可撓性部材は、ゴム部材である、
ことを特徴とする水切り清掃具。
【発明の詳細な説明】
【技術分野】
【０００１】  この発明は、建築現場や工場などの床上に溜まっている水を清掃するための水切り清掃具に関するものである。
【背景技術】
【０００２】  例えば、建築現場などでは、建築物の床などに溜まった水を清掃して、建築作業の障害を除く作業を行う必要がある。
従来は、所謂「トンボ」という水切り清掃具をこのような清掃作業に用いていた（例えば、特許文献１）。
図１０は、従来の水切り清掃具を示す斜視図であり、図１１はその使用例図である。
図１０に示すように、この水切り清掃具１００は、幅広の板体１０１と、この板体１０１の裏面中央部に取り付けられた柄１０２とによりなり、図１１に示すように、作業者が柄１０２を持ち、水溜まりの水Ｗを板体１０１で所定の排水溝などに押していくことで、水切り清掃作業を行っていた。【０００３】
【特許文献１】特開２０００−３３０６５号公報
【発明の開示】
【発明が解決しようとする課題】
【０００４】  しかし、上述した従来の水切り清掃具では、次のような問題がある。
１本の水切り清掃具１００を１人の作業者で使用するようになっているので、板体１０１の幅を広げるには限界がある。このため、広い床上に多数又は大きな水溜まりが存在する場合には、多数の作業者がそれぞれ水切り清掃具１００を持ち、横一列に並んで、水切り清掃作業を行う必要があり、作業に人手と時間を要する。また、水切り清掃具１００が変形しない板体１０１と柄１０２とで構成されているので、かさばり且つ携帯性に劣る。このため、水切り清掃具１００の保管や運搬が非常に不便であった。【０００５】  この発明は、上述した課題を解決するためになされたもので、携帯性に優れ、しかも広い床上の水切り清掃作業を少人数で行うことができる水切り清掃具を提供することを目的とする。
【課題を解決するための手段】
【０００６】  上記課題を解決するために、請求項１の発明に係る水切り清掃具は、先端部に握手を有する等幅の帯状体と、帯状体の後端部が取り付けられた回転体を有し、この回転体を回転させることで、帯状体をこの回転体に巻き取り又は引き出しを行うリール体とを具備する構成とした。
かかる構成により、２人の作業者が水溜まりを挟んで並び、一方の作業者がリール体から引き出された帯状体の先端部の握手を持ち、他方の作業者がリール体を持つことができる。かかる状態で、帯状体を床上に垂らし、２人の作業者が並んだまま、水溜まりの横を通過すると、床上の帯状体が水溜まり内に入り込み、その下縁部を水底に接触させた状態で立つ。これにより、帯状体を所定個所まで引っ張っていくと、帯状体が床上の水溜まりの水を所定個所まで運ぶ。【０００７】  また、請求項２の発明は、請求項１に記載の水切り清掃具において、記帯状体の少なくとも一方の縁部に、床などへの密着性が高い可撓性部材を帯状体の長さ方向に沿って設けた構成とした。
かかる構成により、可撓性部材が水底の床に密着するので、水が帯状体の下側から逃げることはない。【０００８】  ところで、可撓性部材は、密着性があれば良く、その材質は任意である。そこで、その好例として、請求項３の発明は、請求項１に記載の水切り清掃具において、可撓性部材は、ゴム部材である構成とした。
【発明の効果】
【０００９】  以上説明したように、この発明の水切り清掃具によれば、帯状体とこの帯状体を回転体に巻き取り又は引き出しを行うリール体とで構成され、不使用時には、帯状体をリール体に巻き取っておくことができるので、携帯性に優れている。この結果、保管や運搬に非常に便利である。
また、たった２人の作業者で広い床上の水溜まりなどの水切り清掃作業を行うことができるので、清掃作業時間の短縮化と人手の削減化とを図ることができる。
特に、請求項２及び請求項３の発明によれば、可撓性部材が水底の床等に密着するので、水溜まりのほぼ完全な水切り清掃が可能となるという効果がある。
【発明を実施するための最良の形態】
【００１０】  以下、この発明の最良の実施形態について図面を参照して説明する。
図１は、この発明の一実施形態に係る水切り清掃具の外観図であり、図２は、その平面図であり、図３は、図２の矢視Ａ−Ａ断面図である。
図１及び図２に示すように、この実施形態の水切り清掃具１は、帯状体２とリール体３とでなる。【００１１】  帯状体２は、水切りを行うための等幅の長状部材であり、その先端部２ａに、握手４を有している。
この帯状体２のリール体３からの引き出しの長さＬは、この実施形態では、約１０ｍに設定されている。また、図３に示すように、帯状体２の幅Ｈは約１０ｃｍに設定され、その厚さｔは約３ｍｍに設定されている。
そして、この帯状体２の両縁部２ｂ，２ｂに、床等への密着性が高い可撓性部材２０，２０が取り付けられている。具体的には、帯状体２自体は、ガラス繊維で形成されている。一方、可撓性部材２０はゴムで形成されており、この可撓性部材２０は帯状体２の長さ方向（図２の左右方向）に沿って取り付けられている。
このような帯状体２の後端部２ｃは、リール体３に取り付けられている。【００１２】  図４は、リール体３の断面図である。
このリール体３は、帯状体２の巻き取り又は引き出しを行うための器具であり、図１〜図３にも示すように、十字状のフレーム３０と、フレーム３０に回動自在に取り付けられた回転体としての軸３１と、フレーム３０の外側に固着された握手３２とで構成されている。
具体的には、図２に示すように、軸３１の両端部３１ａ，３１ａがフレーム３０の中心孔３０ａに回動自在に嵌められ、巻き取り及び巻き戻し用のレバー３３が、軸３１の一方の端部３１ａに取り付けられている。そして、図４に示すように、帯状体２の後端部２ｃが軸３１に固定されている。
これにより、レバー３３を回転させることで、帯状体２をリール体３内に巻き取ることができ、また、握手４を握って帯状体２を引っ張ることで、帯状体２をリール体３から引き出すことができる。【００１３】  次に、この実施形態に係る水切り清掃具の使用例について説明する。
図５は、この実施形態の水切り清掃具１を用いた水切り清掃作業の一例を示す概略図であり、図６は、水切り清掃具１の帯状体２で水を捕らえている状態を示す概略図である。
この水切り清掃具１を用いて、水溜まりの水を清掃する際には、図５に示すように、水溜まり３００を囲む長さまで帯状体２をリール体３から引き出す。そして、握手４を一方の作業者２０１が持ち、リール体３の握手３２を他方の作業者２０２が持った状態で水溜まり３００を帯状体２で囲む。
かかる状態で、図６に示すように、作業者２０１，２０２が、帯状体２を引きずるようにして矢印方向に前進すると、帯状体２が水溜まり３００の水を後方から捕らえ、前方に運んでいく。【００１４】  図７は、帯状体２が水溜まり３００の水Ｗを捕らえている状態を示す断面図である。
２人の作業者２０１，２０２が帯状体２を引っ張っていくと、図７に示すように、帯状体２が、下方の可撓性部材２０を床２００に密着させながら矢印方向に進む。したがって、帯状体２は、水Ｗを床２００と可撓性部材２０との間から逃がすことなく、水Ｗを進行方向に押していくこととなる。
ところで、床２００は、平坦でなく、凹み部分と水溜まり３００が生じる。このため、帯状体２と床２００との間に隙間が生じるおそれがある。
しかし、この実施形態の水切り清掃具１では、帯状体２及び可撓性部材２０が可撓性を有し且つ１０ｍという長さを有しているので、図８に示すように、帯状体２全体が凹み部分２０３の形状に応じて撓み、可撓性部材２０が床２００に密着し、水Ｗを逃がすことはない。
また、図７の破線で示すように、引っ張る前に帯状体２が傾いた状態となっていても、帯状体２を引っ張っていくことにより、帯状体２が、実線で示すように、立った状態になるので、水Ｗは帯状体２の上から逃げることはない。【００１５】  以上のように、水切り清掃具１は、帯状体２で水溜まり３００の水Ｗを確実に捕らえ、しかも水Ｗを帯状体２の下側から逃がすことなく、水Ｗを作業者２０１，２０２の進行方向に押していく。
そして、図９に示すように、作業者２０１，２０２０が排水溝２０４の近くに至ったときに、作業者２０１，２０２が左右に分かれ、帯状体２で捕らえた水Ｗを排水溝２０４内に押し込むことで、清掃作業は終了する。または、作業者２０２がリール体３のレバー３３を回して、帯状体２を巻き取ることで、水Ｗを排水溝２０４内に押し込むこともできる。
作業終了後は、リール体３のレバー３３を回して、帯状体２を巻き取り、この水切り清掃具１を所定の場所に保管しておくことができる。【００１６】  なお、この発明は、上記実施形態に限定されるものではなく、発明の要旨の範囲内において種々の変形や変更が可能である。
例えば、上記実施形態では、可撓性部材２０，２０を両縁部２ｂ，２ｂに取り付けたが、これに限定されるものでなく、可撓性部材２０は、帯状体２の少なくとも一方の縁部２ｂに取り付けてあれば良い。
また、上記実施形態では、可撓性部材２０として、ゴム製の部材を用いたがこれに限定されるものではなく、床への密着性が高い樹脂なども可撓性部材として適用することができる。
さらに、上記実施形態では、帯状体２のリール体３からの引き出しの長さＬを約１０ｍ、その幅Ｈをは約１０ｃｍ、その厚さｔは約３ｍｍに設定したが、これらの値は、床の広さ等の使用状況に応じて設定されるもであり、任意である。但し、帯状体２の引き出しの長さＬを３ｍ以上に設定することが好ましい。
【図面の簡単な説明】
【００１７】
【図１】この発明の一実施形態に係る水切り清掃具の外観図である。
【図２】水切り清掃具の平面図である。
【図３】図２の矢視Ａ−Ａ断面図である。
【図４】リール体の断面図である。
【図５】この実施形態の水切り清掃具を用いた水切り清掃作業の一例を示す概略図である。
【図６】水切り清掃具の帯状体で水を捕らえている状態を示す概略図である。
【図７】帯状体と床との密着状態を示す断面図である。
【図８】帯状体と凹み部分との密着状態を示す断面図である。
【図９】帯状体で捕らえた水を排水溝に押し込む状態を示す概略図である。
【図１０】従来の水切り清掃具を示す斜視図である。
【図１１】従来の水切り清掃具の使用例図である。
【符号の説明】
【００１８】  １…水切り清掃具、２…帯状体、２ａ…先端部、２ｂ…縁部、２ｃ…後端部、３…リール体、４，３２…握手、２０…可撓性部材、３０…フレーム、３１…軸、３０ａ…中心孔、３１ａ…端部、３３…レバー、２００…床、２０１，２０２…作業者、２０３…凹み部分、２０４…排水溝、３００…水溜まり、Ｗ…水。
【図１】
2005009195.tif 000002
【図２】
2005009195.tif 000003
【図３】
2005009195.tif 000004
【図４】
2005009195.tif 000005
【図５】
2005009195.tif 000006
【図６】
2005009195.tif 000007
【図７】
2005009195.tif 000008
【図８】
2005009195.tif 000009
【図９】
2005009195.tif 000010
【図１０】
2005009195.tif 000011
【図１１】
2005009195.tif 000012
【国際調査報告】
2005009195.tif 000013
2005009195.tif 000014